(57)【特許請求の範囲】
【請求項１】
光ファイバケーブルが接続される筐体内の空間に設置され，光ファイバ余長分を収納する収納部を備えた光ファイバ収納ケースの取付構造において，
前記光ファイバ収納ケースの一端側付近に回転軸を有するよう筐体内に配設された枢着部に，前記光ファイバ収納ケースが所定の開閉量を維持するように，該光ファイバ収納ケースの一端側を枢着すると共に，該光ファイバ収納ケースを閉じた状態にしたときには，該光ファイバ収納ケースの収納部に対向する位置にある，前記筐体内に備えられた所望の表示を行うための表示板によって，前記光ファイバ収納ケースの収納部の一部若しくは全てを閉塞可能なように構成したことを特徴とする光ファイバ収納ケースの取付機構。
【請求項２】
前記筐体は，一面が開口し内部に空間を有した箱体と，前記箱体の開口部周囲の縁部に蝶着され，当該開口部を開閉する蓋体とから成り，
前記光ファイバ収納ケースの一端側を枢着する枢着部は，前記箱体内部で，前記蓋体が蝶着される側に設けられていることを特徴とする請求項１に記載の光ファイバ収納ケースの取付機構。
【発明の詳細な説明】
【技術分野】
【０００１】
本発明は，主に光り伝送方式のＣＡＴＶ伝送路の途中に設置されるＣＡＴＶ機器等の筐体内部に装着される光ファイバ収納ケースに関し，特にその取付構造に関する。
【背景技術】
【０００２】
従来の光ファイバ収納ケースの取付構造は，箱体内に，開口部方向に光ファイバ収納ケースを挟持するように形成された２組の案内レールと，該光ファイバ収納ケースに設けた前記案内レール上を走行する走行片から構成され，該光ファイバ収納ケースを前記箱体の開口部から突出した位置まで引き出し可能とすると共に，引き出した状態を保持する引き出し機構を介して前記箱体内に設置するように構成されたものが紹介されており，この発明によれば，箱体内に設けられた光ファイバ収納ケースが，箱体開口部から突出した状態で保持されるので，光ファイバに無理な応力を加えることなくスムーズに収納操作をすることができる。また，加えて前記案内レールに案内されて引き出されるので，引き出し操作を容易に行うことができ，また，箱体内に配置した体制を変えることなく引き出すことができ，光ファイバに無理な応力を加えることもない。
（例えば，特許文献１参照）
【０００３】
また別の方法として，箱体には光・電気信号変換部を備えて成る光受信部が収納され，光ファイバ収納ケースとしての余長の光ファイバ収容部が，前記光受信部の上側（開口部側）となるように上下に重合させ，周知の固着手段によって着脱自在に固着するように構成されたものが紹介されている。この発明によれば，余長の光ファイバ収納部は，引き込まれた光ファイバと，引き出すための光ファイバとの余長部分が長くてそれが邪魔にならないように，光ファイバの余りの長さに応じて，短くコンパクトに丸めて小嵩に収納することもできれば，中位の長さに巻くこともでき，更には大きなループで巻くこともできる。
（例えば，特許文献２参照）
【０００４】
【特許文献１】特開２００１−３２４６２０号公報
【特許文献２】特開２００５−０２４７６０号公報
【発明の開示】
【発明が解決しようとする課題】
【０００５】
ところでこのような光ファイバ収納ケースを備えた機器の好適な例として，例えば光伝送方式のＣＡＴＶ伝送路の途中に設置されるトランクアンプ等応用を考えると，これらの光トランクアンプは信号伝送路の途中に設けられ，メッセンジャーワイヤー等を使って屋外の高所に設置される場合が有ったり，壁面やポール等の高所に設置されたりするために，余長の光ファイバを収納する操作においてもその操作を容易に行うことが求められる。
特許文献１に示される従来の光ファイバ収納ケースにおいては，光ファイバの余長部分を収納する光ファイバ収納部内には，光ファイバの最小曲げ半径を維持するための案内壁と，光ファイバ同士を接続した場合の融着接続部を保持固定する固定部だけが形成されており，光ファイバを収納するために特別な操作を必要としないように構成されている。
【０００６】
ここで特別な操作について考える。光ファイバを収納部に安定的に収納するための方法として上記特許文献２に示されるように，例えば，光ファイバ収納部の底部から突設させた先端部に跳止爪を有する跳止壁や枠体を備えさせ，夫々の跳止爪が相互に入り組んだ状態に対向させて適宜に配置し，対向した跳止壁や枠体の間できる溝部に光ファイバを収納することによって，光ファイバが収納部から浮き上がらないように安定的に収納させる方法がある。このような方法にあっては，光ファイバが収納部に正しく収納され，光ファイバの弾性力によって収納部から浮き上がることもないので，特許文献１に示される従来例のような，光ファイバ収納部の蓋体はなくてもよいことになるが，光ファイバを収納するための特別な操作が必要となり，結果的に操作の容易性が損なわれることになる。
つまり，従来の実施例のように，操作性の向上のために案内壁と固定部だけの必要最小限の部材で形成した収納部へ，光ファイバを収納するような構成では，光ファイバがその弾性力によって収納部に安定的に収納されることが難しく，このために光ファイバが収納部から浮き上がる事を防止するための蓋体を，従来例に示すような蝶番によって開閉自在と成るように備えさせる必要が生じるのである。
【０００７】
また，従来例の１においては，光ファイバ収納ケースを箱体の開口部から突出した位置まで引き出し可能とすると共に，引き出した状態を保持する引き出し機構を介して前記箱体内に設置するように構成され，光ファイバ収納ケースは箱体の前面側に垂直に配置された状態で突出されることになる。
従来例の２においても光ファイバ収納ケースは箱体の前面側に垂直に配置されるように構成されていることから，工事人が光ファイバの収納操作における視認性を良くして，確実且つ容易に作業できることを優先させれば，光ファイバ収納ケースの位置が自分の目線の正面に正対させての施工が望ましい。ところがこのような状態では，腕を目線の位置まで上げて操作することに成り，この体勢の維持は工事人に負担をかけることになる。
そこで本願においては，こうした問題点を解決するためになされたものであり，
その目的は，光ファイバの収納操作を容易に行うことができる光ファイバ収納ケースの取付構造を提供することにある。
他の目的は，前記光ファイバ収納ケースを備えた光トランクアンプを提供する事にある。
【課題を解決するための手段】
【０００８】
上記課題を解決するために，請求項１の発明は，光ファイバケーブルが接続される筐体内の空間に設置され，光ファイバ余長分を収納する収納部を備えた光ファイバ収納ケースの取付構造において，前記光ファイバ収納ケースの一端側付近に回転軸を有するよう筐体内に配設された枢着部に，前記光ファイバ収納ケースが所定の開閉量を維持するように，該光ファイバ収納ケースの一端側を枢着すると共に，該光ファイバ収納ケースを閉じた状態にしたときには，該光ファイバ収納ケースの収納部に対向する位置にある，前記筐体内に備えられた所望の表示を行うための表示板によって，前記光ファイバ収納ケースの収納部の一部若しくは全てを閉塞可能なように構成した。
【０００９】
請求項２の発明は，請求項１に記載の光ファイバ収納ケースの取付機構において，前記筐体は，一面が開口し内部に空間を有した箱体と，前記箱体の開口部周囲の縁部に蝶着され，当該開口部を開閉する蓋体とから成り，前記光ファイバ収納ケースの一端側を枢着する枢着部は，前記箱体内部で，前記蓋体が蝶着される側に設けられていることを特徴とする。
【発明の効果】
【００１０】
請求項１の発明によれば，光ファイバケーブルが接続される筐体内の空間に設置され，光ファイバ余長分を収納する収納部を備えた光ファイバ収納ケースの取付構造において，前記光ファイバ収納ケースの一端側付近に回転軸を有するよう筐体内に配設された枢着部に，前記光ファイバ収納ケースが所定の開閉量を維持するように，該光ファイバ収納ケースの一端側を枢着すると共に，該光ファイバ収納ケースを閉じた状態にしたときには，該光ファイバ収納ケースの収納部に対向する位置にある，前記筐体内に備えられた所望の表示を行うための表示板によって，前記光ファイバ収納ケースの収納部の一部若しくは全てを閉塞可能なように構成したので，
本発明に係る光ファイバ収納ケース４の取付構造を用いれば，光ファイバを収納操作するスピードの向上のために，案内壁と固定部だけの必要最小限の部材で形成した収納部に光ファイバを収納するような簡単な構成であっても，光ファイバを収納した後の簡単な操作で箱体に備えた所望の表示を行うための表示板を光ファイバ収納ケースの蓋体とすることができ，特別にケースカバーを作って，このケースカバーを蝶番などによって開閉自在と成るように取付なくても，光ファイバが安定的に収納することができるのである。
【００１１】
請求項２に記載の光ファイバ収納ケースの取付機構によれば，ＣＡＴＶ伝送路に設置されるトランクアンプのように，箱体の開口面が水平線方向を向き，且つ，蓋体が蝶着された箱体の縁部が下方に位置するように，筐体が配置されている状態で，蓋体を開き，更に，光ファイバ収納ケースを開けば，光ファイバ収容ケースの収容部が箱体の開口部の手前側にくるようになる。
よって，工事人が光ファイバの収納操作を行う際の視認性を良くして，確実且つ容易に作業できることを優先させたときに，光ファイバ収納ケースの位置が自分の目線より下に見ながら，収納部の開口部に対して常に正対することができるようになり，光ファイバの収納操作を確実に行うことが可能となる。また，腕を高い位置まで上げて操作することもなくなることから，工事人に収納操作における不安定な姿勢を強いることがなく，負担をかけることもない。
【発明を実施するための最良の形態】
【００１２】
以下に，本発明を具体化した実施形態の例を，図面を基に詳細に説明する。
図１（ａ）は本発明の第１の実施形態を示し，光ファイバ収納ケースを備えたトランクアンプの正面図（蓋体は図示されていない）であり，（ｂ）はＡ−Ａ線概略断面図であり，（ｃ）はＢ−Ｂ線概略断面図である。図２（ａ）は光ファイバ収納ケースを開いたときの正面図であり，（ｂ）はＣ―Ｃ線概略断面図である（蓋体が開いた状態を一点鎖線で示し，光ファイバ収納ケースとの関係を示す）。図３（ａ）は本発明に係る光ファイバ収納ケースを開いたときの状態を示す上面図であり，（ｂ）はＤ―Ｄ線概略断面図である。図４は本発明に係る光ファイバ収納ケースの枢着部の実施例を示す一部を破断した要部拡大図を示す。図５は本発明の第２の実施例であり，光ファイバ収納ケースが閉じた状態の斜視図である。図６は第２の実施例における光ファイバ収納ケースが開いた状態の斜視図である。図７（ａ）は第２の実施例に係る枢着部の部分拡大図であり，（ｂ）は第２実施例における係止手段の概略部分端面図である。
尚，本願の実施例の説明における上下左右などの方向の記載は，特に明記しない限り図１に状態にあるときの位置関係を示すものとする。
【実施例１】
【００１３】
以下，本発明を具体化した実施の形態を，図１，２，３，４に基づいて詳細に説明する。本発明の実施例では光ケーブルを使用したＣＡＴＶ伝送路の途中に設置される光トランクアンプの蓋体を外した状態の正面図を示している。
図において１は光トランクアンプの本体をなす一方を開口した箱体であり，例えばアルミダイカストにより成形されている。箱体１には表示板５を介して開口側に本発明に係る光ファイバ収納ケース４が備えられている。
【００１４】
光ケーブル３は接続部２から箱体１内部に引き込まれ，周知の方法で固定されている。更に光ケーブルから引き出された光ファイバ７は箱体１内の図示されていない信号増幅回路に光コネクタ１０を介して接続された増幅器側光ファイバ１１に融着接続されている。その融着接続部の前後の光ファイバ余長部が光ファイバ収納ケース４に収納されている。融着接続部１２は図示されていない融着部保護スリーブ１３により保護されて，光ファイバ収納ケース４内に設けられた固定部１４に装着固定されている。
【００１５】
前記光ファイバ収納ケース４は例えば合成樹脂材から成り，箱体１の開口部に対向するように開口して，前記光ファイバの余長部を巻回して収納する光ファイバ収納部４ａを形成している。この光ファイバ収納部４ａの左右の側面には，光ファイバを挿入或いは引き出したりする切欠部４ｂが夫々必要に応じて適宜に配設されていると共に，光ファイバ収納部４ａの側面の上端若しくは光ファイバ収納部４ａの外周縁部等には，収納した光ファイバの跳ね上がりを防止するための跳止爪１８が夫々必要に応じて適宜に配設されている。
また，光ファイバ収納部４ａ内には，収納操作を案内する案内壁１７と，融着接続部１２を保持固定する前記固定部１４が形成され，融着接続部１２を固定して光ファイバを収納しやすいように形成されている。
更に，光コネクタ１０は光ファイバ収納ケース４から突出形成した図には示されていない固着手段によって装着されている。
【００１６】
図４によく示されるように，光ファイバ収納ケース４の下端部４ｃにおける左右の側面には，夫々の側面から外方向に突設させた軸体１５，１５と，この軸体から光ファイバ収納ケース４の側面の長手方向に所定の寸法だけ離して突設した止部１６，１６が形成されている。この軸体１５，１５は表示板５の下端部を切起し成形した枢着部２０，２０において枢着されて，光ファイバ収納ケース４が閉じた状態，即ち本発明においては光ファイバ収納部４ａの開口部が前記表示板５によって閉塞される状態から，光ファイバ収納ケース４が所定量開いた状態まで，開閉自在となるように枢着されている。
前記表示板は，本発明の実施例として示す光とランクアンプの型式や電気的特性，取り扱い説明等の所望の表示を行うためのものであるが，本発明においては光ファイバ収納ケースの蓋体としても使用するものである。
【００１７】
ここで，枢着部２０について説明する。本発明における枢着部２０は，前記表示板５の下端部をプレス成形等によって折り曲げ成形した軸受片２１に形成した軸孔２２に，前記光ファイバ収納ケース４に形成された軸体１５を枢着して開閉自在となるように構成されている。
更に前記軸受片２１の下側には受止片２３が前記軸受片２１と一体に形成されている。前記軸受片２１の周縁は，光ファイバ収納ケースの開閉操作の範囲において，前記止部１６が軸体１５（言い換えれば軸孔２２）の中心を中心軸として回転する半径より小さく形成されて形成されているのであるが，受止片２３の下端部は，前記止部１６がなす回転半径より大きくなるように下方向に張り出すように形成されていることによって，光ファイバ収納ケース４を開く操作に伴い，前記止部１６が前記受止片２３に当接するように構成されていることによって開閉量を所定量にすると共に，光ファイバ収納ケース４を固定することができるので，光ファイバの収納作業を安定した状態でできるように構成されている。
尚，本願の光ファイバ収納ケース４の開閉量は，該光ファイバ収納ケース４を閉じた状態から，少なくとも９０°（図におけるθ１）乃至筐体の蓋体と重合しない位置（図におけるθ２）の範囲内の所定位置となるように開くように構成されている。
【実施例２】
【００１８】
次に本発明の第２の実施形態として図５，６，７を参照して説明する。尚，以下の説明では，上記第１の実施形態における光ファイバ収納ケースの取付構造と同様の構成要素については同一符号を付与し，詳細な説明は省略する。
【００１９】
本発明の第２の実施例では，前記実施例に比べて枢着部２０の構造及び配置が異なるものである。本発明の実施例では箱体１に形成された光ファイバを引き込むための接続部２は，箱体１の下面に形成されており，この接続部から光ファイバが引き込まれる。図５における１ｂは光ファイバを光ファイバ収納ケース４に導くために箱体１内部に設けられた傾斜路である。
【００２０】
表示板５の下端部には表示カバー１９が取付けられている。この表示カバーは，例えば，光送受信機の動作状態を箱体１の下面外側からモニタするための図示されない状態表示ランプ等を保護するためのカバーであり，例えば合成樹脂材等で成形され，周知の固着手段で表示板５に固着されている。
【００２１】
第２実施例における枢着部２０は，光ファイバ収納ケース４の下端部から下方向に一体的に形成された突設片３４，３４と，表示カバー１９の上端部に上方向に一体的に形成された突設片３９，３９からなり，例えば表示カバー１９側に形成された突設片３９，３９には，夫々内方向に対向させて円柱軸３９ａ，３９ａを形成し，光ファイバ収納ケース４に形成されたの突出片３４，３４には，前記円柱軸に対向する位置に透孔３４ａ，３４ａを形成し，この円柱軸と透孔とを嵌め込んで枢着する事で，光ファイバ収納ケース４が開閉自在に枢着されるのである。
【００２２】
光ファイバ収納ケース４の上端部には係止手段４１が形成されている，この係止手段４１は，表示板５方向に係止部４１ｂを備えた断面略Ｕ字型となるように光ファイバ収納ケース４に一体的に形成されている。
表示板５には角孔４０が形成されており，前記光ファイバ収納ケースを閉じた状態にすると，係止手段４１は光ファイバ収納ケース４と一体に合成樹脂材で形成されているので，係止部４１ｂが間隔を狭めながら前記角孔４０に嵌挿される。係止が完了したならば係止手段４１は弾性力によって爪部４１ａが元の形に戻ろうとする力が加わり，係止部４１ｂは長孔に確実に係止される，光ファイバ収納ケース４は表示板に閉じた状態に係止されるのである。
【００２３】
このように本発明に係る光ファイバ収納ケース４の取付構造を用いれば，光ファイバを収納操作するスピードの向上のために，案内壁と固定部だけの必要最小限の部材で形成した収納部に光ファイバを収納するような簡単な構成であっても，光ファイバを収納した後の簡単な操作で，箱体１に備えた表示板５を収納ケース４のケースカバーとすることができ，特別に別体でケースカバーを作って，このケースカバーを蝶番などによって開閉自在と成るように取付なくても，光ファイバが安定的に収納することができるのである。
【００２４】
また，本発明の光ファイバ収納ケース４は，開いた状態で箱体１の開口部に対して９０度乃至蓋体と重合しない位置（例えば１２０°）の間で，光ファイバ収容ケースの収容部が手前側にくるように構成されるので，工事人が光ファイバの収納操作における視認性を良くして，確実且つ容易に作業できることを優先させたときに，光ファイバ収納ケース４収納部４ａの位置が自分の目線より下に有ることになり，収納部の開口部に対して常に正対した位置で収納操作を行うことができるので，光ファイバの収納が確実に行うことができるばかりでなく，この操作において腕を高い位置まで上げて操作することもなくなることから，工事人に収納操作において負担をかけることもないのである。
尚，本発明は上記実施の形態に限定されるものではなく，本発明の趣旨を逸脱しない範囲で各部の構成を適宜に変更して実施することも可能である。
【図面の簡単な説明】
【００２５】
【図１】（ａ）は本発明の実施の形態を示し，光ファイバ収納ケースを備えたトランクアンプの正面図（蓋体は図示されていない）であり，（ｂ）はＡ−Ａ線概略断面図であり，（ｃ）はＢ−Ｂ線概略断面図である。
【図２】（ａ）は光ファイバ収納ケースを開いたときの正面図であり，（ｂ）はＣ―Ｃ線概略断面図である（蓋体が開いた状態を一点鎖線で示し，光ファイバ収納ケースとの関係を示す）。
【図３】（ａ）は本発明に係る光ファイバ収納ケースを開いたときの状態を示す上面図であり，（ｂ）はＤ―Ｄ線概略断面図である。
【図４】本発明に係る光ファイバ収納ケースの枢着部の実施例を示す一部を破断した要部拡大図を示す。
【図５】本発明の第２の実施例であり，光ファイバ収納ケースが閉じた状態の斜視図である。
【図６】第２の実施例における光ファイバ収納ケースが開いた状態の斜視図である。
【図７】（ａ）は第２の実施例に係る枢着部の部分拡大図であり，（ｂ）は第２実施例における係止手段の概略部分端面図である。
【符号の説明】
【００２６】
１…箱体，１ａ…放熱板，１ｂ…傾斜路，２…接続部，３…光ケーブル，４…光ファイバ収納ケース，４ａ…光ファイバ収納部，４ｂ…切欠部，４ｃ…下端部，５…表示板，７…光ファイバ，１０…光コネクタ，１１…増幅器側光ファイバ，１２…融着接続部，１３…融着部保護スリーブ，１４…固定部，１５…軸体，１６…止部，１７…案内壁，１８…跳止爪，１９…表示カバー，１９ａ…パイロットランプ，２０…枢着部，２１…軸受片，２２…軸孔，２３…受止片，３４…突設片，３４ａ…透孔，３９…突設片，３９ａ…円柱軸，４０…角孔，４１…係止手段，４１ａ…爪部，４１ｂ…係止部
【図１】
0004589842.tif 000002
【図２】
0004589842.tif 000003
【図３】
0004589842.tif 000004
【図４】
0004589842.tif 000005
【図５】
0004589842.tif 000006
【図６】
0004589842.tif 000007
【図７】
0004589842.tif 000008